(57)【特許請求の範囲】
【請求項１】
間接活線工法において電柱上部の配電線関連機器を被覆する間接活線工事用絶縁保護カバーにおいて、
上記配電線関連機器の被覆範囲に応じた幅寸法を有して基端縁がヒンジを介して開閉自在に連結されて対向する第１カバー部及び第２カバー部を備え、
該第１カバー部は、上記基端縁と略平行に延在して揺動端となる先端縁を有すると共に、内周面に上記基端縁に沿って幅方向に延在する凹状の第１収容面と、該第１収容面の端縁に沿って延在する第１当接面と、該第１当接面の端縁に沿って該端縁と上記先端縁との間に形成された第１ガイド面とを備え、
上記第２カバー部は、上記基端縁と略平行に延在して揺動端となる先端縁を有すると共に、内周面に上記第１カバー部の第１収容面と対向して幅方向に延在する凹状で上記第１収容面と協働して上記配電線関連機器の被覆範囲を収容する収容部を構成する第２収容面と、該第２収容面の端縁に沿って延在して上記第１当接面と対向すると共に該第１当接面に当接可能な第２当接面と、該第２当接面の端縁に沿って延在して該端縁から先端縁側に移行するに従って漸次第１ガイド面から離間する第２ガイド面とを備え、
該第２カバー部の外表面にリブ状に突出する把持部が一体形成され、
上記第１カバー部の第１当接部と第２カバー部の第２当接部が当接した状態に互いに吸着して保持する第１カバー部に設けた第１永久磁石と第２カバー部に設けた第２永久磁石と、
上記第１カバー部の第１当接部と第２カバー部の第２当接部が当接した状態に互いに接合して保持する第１カバー部に設けた第１面ファスナと第２カバー部に設けた第２面ファスナと、
を備えたことを特徴とする間接活線工事用絶縁保護カバー。
【請求項２】
上記配電線関連機器は、腕金に設けられた碍子及び該碍子に固定保持された配電線であることを特徴とする請求項１に記載の間接活線工事用絶縁保護カバー。
【請求項３】
上記配電線関連機器は、配電線をクランプ保持するクランプと腕金との間に架設された高圧耐張碍子であることを特徴とする請求項１に記載の間接活線工事用絶縁保護カバー。
【請求項４】
上記配電線関連機器は、腕金に高圧耐張碍子を介して保持されて配送電線をクランプ保持するクランプであることを特徴とする請求項１に記載の間接活線工事用絶縁保護カバー。
【請求項５】
上記配電線関連機器は、配電線を被覆する筒状のカバーであることを特徴とする請求項１に記載の間接活線工事用絶縁保護カバー。
【請求項６】
上記配電線関連機器は、腕金に高圧耐張碍子を介して保持されて配電線をクランプ保持するクランプと該配電線を被覆する筒状のカバーとの隙間範囲における配電線であることを特徴とする請求項１に記載の間接活線工事用絶縁保護カバー。
【発明の詳細な説明】
【技術分野】
【０００１】
本発明は、間接活線工法において、作業中の感電事故や短絡・地絡事故を未然に防止するために電配線に関わる電柱上部の配電線、碍子、クランプなどの配電線関連機器を被覆する間接活線工事用絶縁保護カバーに関する。
【背景技術】
【０００２】
近年の一般家庭や事業所等におけるコンピュータ等のＯＡ機器や他の電気製品の飛躍的な普及により、停電時間を設けずに配電線関連の点検や改修等の電気工事を行う間接活線工法が主流となっている。
【０００３】
しかし、この間接活線工法では、配電線などに通電したままの状態で作業が行われることから、作業中の感電事故、短絡・地絡事故等が起こる可能性が高く、これらの事故を未然に防止することを目的として、配電線、碍子、クランプなどの配電線関連機を防護用絶縁シートで被覆するのが一般的であった。
【０００４】
かかる防護用絶縁シートの一例として特許文献１がある。この特許文献１に示される防護用絶縁シートは、絶縁性のあるゴムシート又は樹脂シートからなる柔軟な電気絶縁シートに、その電気絶縁シートを二つ折りに曲げた際に互いに対向する相対位置に磁力によって互いに接合可能な複数の永久磁石を配置して構成される。この防護用絶縁シートを配電線に沿わせて二つ折りに折り曲げて被覆するように吊り下げることで、対向する永久磁石の吸着力によって配電線に巻き付けられる。
【先行技術文献】
【特許文献】
【０００５】
【特許文献１】特開２００６−３４０４６２号公報
【発明の概要】
【発明が解決しようとする課題】
【０００６】
上記特許文献１によると、防護用絶縁シートを二つ折りにして配電線などに吊り下げることで、対向する永久磁石が互いに吸着して配電線などに防護用絶縁シートが固定され、配電線の絶縁被覆が可能になる。
【０００７】
しかし、この柔軟な防護用絶縁シートの配電線への装着は、絶縁作業工具、例えば絶縁ヤットコ等の操作により二つ折りした防護用絶縁シートの中央部を正確に配電線上に位置決めして吊り下げ、更に対向する永久磁石を吸着して配電線に装着する作業は極めて厄介で多くの作業時間を要し、作業者に大きな作業負担が要求される。また、その作業に熟練を要する。
【０００８】
従って、活線状態で電気工事を行う際、簡単な作業により容易かつ確実に配電線関連機器等の被覆及び取り外しが可能で作業者への作業負担が軽減される間接活線工事用絶縁保護カバーを提供することにある。
【課題を解決するための手段】
【０００９】
上記目的を達成する請求項１に記載の間接活線工事用絶縁保護カバーの発明は、間接活線工法において電柱上部の配電線関連機器を被覆する間接活線工事用絶縁保護カバーにおいて、上記配電線関連機器の被覆範囲に応じた幅寸法を有して基端縁がヒンジを介して開閉自在に連結されて対向する第１カバー部及び第２カバー部を備え、該第１カバー部は、上記基端縁と略平行に延在して揺動端となる先端縁を有すると共に、内周面に上記基端縁に沿って幅方向に延在する凹状の第１収容面と、該第１収容面の端縁に沿って延在する第１当接面と、該第１当接面の端縁に沿って該端縁と上記先端縁との間に形成された第１ガイド面とを備え、上記第２カバー部は、上記基端縁と略平行に延在して揺動端となる先端縁を有すると共に、内周面に上記第１カバー部の第１収容面と対向して幅方向に延在する凹状で上記第１収容面と協働して上記配電線関連機器の被覆範囲を収容する収容部を構成する第２収容面と、該第２収容面の端縁に沿って延在して上記第１当接面と対向すると共に該第１当接面に当接可能な第２当接面と、該第２当接面の端縁に沿って延在して該端縁から先端縁側に移行するに従って漸次第１ガイド面から離間する第２ガイド面とを備え、該第２カバー部の外表面にリブ状に突出する把持部が一体形成され、上記第１カバー部の第１当接部と第２カバー部の第２当接部が当接した状態に互いに吸着して保持する第１カバー部に設けた第１永久磁石と第２カバー部に設けた第２永久磁石と、上記第１カバー部の第１当接部と第２カバー部の第２当接部が当接した状態に互いに接合して保持する第１カバー部に設けた第１面ファスナと第２カバー部に設けた第２面ファスナと、を備えたことを特徴とする。
【００１０】
これによると、絶縁保護カバーの装着にあたり、把持部を絶縁工具によって把持し、絶縁保護カバーの第１カバー部に設けられた第１永久磁石と第２カバー部に設けられた第２永久磁石とが吸着して第１カバー部の第１当接部と第２カバー部の第２当接部が当接保持された状態で、絶縁作業工具等の操作により絶縁保護カバーの第１ガイド面及び第２ガイド面を配電線関連機器に当接させ、この第１カバー部の第１ガイド面及び第２カバー部の第２ガイド面が配電線関連機器に当接した状態で、絶縁保護カバーを電線関連機器側に移動することで配電線関連機器に沿って第１カバー部の第１ガイド面及び第２カバー部の第２ガイド面及び第１当接面、第２当接面が摺接して第１カバー部と第２カバー部がヒンジを中心に次第に押し拡げられる。更に絶縁保護カバーを移動すると、配電線関連機器に沿って各第１当接面及び第２当接面が摺動して配電線関連機器を通過する。これにより、配電線関連機器が第１収容面と第２収容面との間の収容空間に収容される一方、配電線関連機器を通過した第１カバー部の第１当接面と第２カバー部の第２当接面とが第１永久磁石と第２永久磁石の吸着によって当接して第１カバー部と第２カバー部が閉じた状態に仮固定される。この仮固定された状態において第１面ファスナと第２面ファスナを接合する簡単な作業により絶縁保護カバーを強固に所定位置に取り付けることができる。これにより、配電線関連機器が第１カバー部の第１収容面及び第２カバー部の第２収容面によって形成された収容空間内に保持されて第１カバー部及び第２カバー部によって被覆され、活線状態で配電線工事等をする際、良好に地絡・短絡を防止して安全化を図ることができる。
【００１１】
一方、絶縁保護カバーを取り外す作業は、第１面ファスナから第２面ファスナを剥離し、絶縁保護カバーを移動させることで配電線関連機器によって第１カバー部及び第２カバー部が第１永久磁石と第２永久磁石とによる吸着に抗して押し広げられ配電線関連機器から抜き出され、絶縁保護カバーが取り外される。
【００１２】
請求項２に記載の発明は、請求項１の間接活線工事用絶縁保護カバーにおいて、上記配電線関連機器は、腕金に設けられた碍子及び該碍子に固定保持された配電線であることを特徴とする。
【００１３】
請求項３に記載の発明は、請求項１の間接活線工事用絶縁保護カバーにおいて、上記配電線関連機器は、配電線をクランプ保持するクランプと腕金との間に架設された高圧耐張碍子であることを特徴とする。
【００１４】
請求項４に記載の発明は、請求項１の間接活線工事用絶縁保護カバーにおいて、上記配電線関連機器は、腕金に高圧耐張碍子を介して保持されて配送電線をクランプ保持するクランプであることを特徴とする。
【００１５】
請求項５に記載の発明は、請求項１の間接活線工事用絶縁保護カバーにおいて、上記配電線関連機器は、配電線を被覆する筒状のカバーであることを特徴とする。
【００１６】
請求項６に記載の発明は、請求項１の間接活線工事用絶縁保護カバーにおいて、上記配電線関連機器は、腕金に高圧耐張碍子を介して保持されて配電線をクランプ保持するクランプと該配電線を被覆する筒状のカバーとの隙間範囲における配電線であることを特徴とする。
【００１７】
請求項２乃至６は、請求項１の絶縁被覆の対象となる配電線関連機器を具体的に例示するもので、腕金に設けられた碍子及び該碍子に固定保持された配電線、高圧耐張碍子、クランプ、配電線を被覆する筒状のカバー、クランプとカバーとの隙間範囲における配電線等に容易かつ確実に絶縁保護カバーを取り付けることができる。
【発明の効果】
【００１８】
本発明によると、絶縁保護カバーの第１カバー部の第１当接部と第２カバー部の第２当接部が当接保持された状態で、絶縁作業工具等の操作により絶縁保護カバーの第１ガイド面及び第２ガイド面を配電線関連機器に当接させて絶縁保護カバーを移動することで配電線関連機器が第１収容面と第２収容面との間の収容空間に収容されると共に第２カバー部の第２当接面が第１永久磁石と第２永久磁石の吸着によって当接して第１カバー部と第２カバー部が閉じた状態に仮固定され、この仮固定された状態において第１面ファスナと第２面ファスナを接合する簡単な作業により絶縁保護カバーを強固に所定位置に取り付けることができ、作業者への作業負担が軽減される。
【図面の簡単な説明】
【００１９】
【図１】第１実施の形態の概要を示す絶縁保護カバーが装着される配電線関連機器及び絶縁保護カバーの説明図である。
【図２】絶縁保護カバーの展開図である。
【図３】絶縁保護カバーの装着状態を示す図である。
【図４】図３のＡ矢視図である。
【図５】図３のＢ矢示図である。
【図６】絶縁保護カバーの装着作業の概要を示す図である。
【図７】絶縁保護カバーの装着作業手順を示す図である。
【図８】第２実施の形態における絶縁保護カバーが装着される配電線関連機器の概要説明図である。
【図９】絶縁保護カバーを高圧耐張碍子に装着した状態を示す斜視図である。
【図１０】絶縁保護カバーの展開図である。
【図１１】絶縁保護カバーの装着作業手順を示す図である。
【図１２】絶縁保護カバーをクランプに装着した状態を示す図である。
【図１３】絶縁保護カバーを配電線に装着した状態を示す図である。
【図１４】絶縁保護カバーを配電線保護カバーに装着した状態を示す図である。
【発明を実施するための形態】
【００２０】
本発明による間接活線工事用絶縁保護カバーの実施の形態を図に基づいて説明する。
【００２１】
（第１実施の形態）
本発明の間接活線工事用絶縁保護カバーの第１実施の形態を図１乃至図７を参照して説明する。
【００２２】
図１は、本実施の形態における絶縁保護カバー１０と絶縁保護カバー１０によって絶縁被覆する配電線関連機器、即ち電柱上の腕金１に取り付けられるピン碍子５及びピン碍子５に固定保持される配電線８の概要を示す図、図２は絶縁保護カバー１０の展開状態を示す図、図３は絶縁保護カバー１０の装着状態を示す図、図４は図３のＡ矢視図、図５は図３のＢ矢視図である。
【００２３】
絶縁保護カバー１０の説明に先立ち絶縁保護カバー１０により絶縁被覆する配電線関連機器であるピン碍子５及び配電線８の概要を図１に基づいて説明する。
【００２４】
電柱に取り付けられる腕金１は略水平方向に延在する角形中空状鋼材によって形成される。腕金１の碍子取付部に対応して上面２及び下面３に図示しないピン挿通孔が形成される。
【００２５】
一方、ピン碍子５は、６号ピン碍子と呼称されるもので、碍子本体６及び支持ピン７によって構成される。碍子本体６はキャップ部６ａとスカート部６ｂとその間に位置して配電線８を係留させるネック部６ｃとからなる。この碍子本体６の基部に碍子本体６と同軸に支持ピン７が突設され、支持ピン７の先端部に腕金１のピン挿通孔に挿入可能なボルト部７ａが形成され、かつボルト部７ａの基端側に環状のストッパ７ｂが形成される。
【００２６】
このピン碍子５は、その支持ピン７のボルト部７ａを腕金１の上面２に開口するピン挿通穴から挿入し、下面３のピン挿通穴を貫通させてストッパ７ｂが上面２に当接した状態でボルト部７ａに図示しないナットを締結して腕金１に固定される。
【００２７】
この腕金１に固定されたピン碍子５の碍子本体６に形成されたネック部６ｃに沿って配電線８を延在させた状態で、碍子バンド９によって配電線８を碍子本体６に固定する。
【００２８】
絶縁保護カバー１０は、樹脂製であって、図１に使用状態の斜視図を示し、図２に展開状態を示すように、予め設定された配電線８の被覆範囲に応じた幅寸法Ｌを有して各基端縁１１ａ及び２１ａがヒンジ２９を介して開閉自在に連結されて対向する半割筒状、即ち略断面円弧状の第１カバー部１１と第２カバー部２１によって構成される。
【００２９】
第１カバー部１１は、ヒンジ２９に連結する基端縁１１ａと略平行な揺動端となる先端縁１１ｂを備え、第２カバー部２１と対向する内周面に基端縁１１ａの延在方向に沿って全幅Ｌに亘る断面凹状乃至溝状の第１収容面１２を有し、第１収容面１２の端縁１２ａに沿って折曲して第２カバー部２１と対向する平坦な帯状の第１当接面１３が形成される。この第１当接面１３の端縁１３ａから外方に折曲して連続する第１ガイド面１４が端縁１３ａと先端縁１１ｂとの間に形成される。
【００３０】
更に、第１カバー部１１の第１収容面１２、第１当接面１３、第１ガイド面１４は幅方向中央部において分断し、分断された第１収容面１２の端縁に両側がそれぞれ連続して外方、即ち第２カバー部２１から離反するように膨出すると共に下端縁１５ａがコ字状で下方に開放部１５Ａが形成されたボックス状でピン碍子５の碍子本体６を収容可能なピン碍子収容部１５が一体形成される。
【００３１】
また、第１当接面１３に第１永久磁石１３Ｍが埋設され、外周面１６の先端縁１１ｂの近傍に第１面ファスナ１６Ｆが貼設される。
【００３２】
一方、第２カバー部２１は、ヒンジ２９に連結される基端縁２１ａと略平行な揺動端となる先端縁２１ｂを備え、第１カバー部１１と対向する内周面に基端縁２１ａの延在方向に沿って全幅Ｌに亘り第１カバー部１１の第１収容面１２と対向する凹状乃至溝状の第２収容面２２を有し、第２収容面２２の端縁２２ａに沿って折曲して第１カバー部１１の第１当接面１３と対向すると共に当接可能な平坦な帯状の第２当接面２３が形成される。この第２当接面２３の端縁２３ａから外方に折曲して連続する第２ガイド面２４が端縁２３ａと先端縁２１ｂとの間に形成される。この第２カバー部２１にはその外周面２６にリブ状に突出する把持部２５が一体形成される。
【００３３】
また、第２当接面２３に、第１カバー部１１の第１当接面１３に埋設した第１永久磁石１３Ｍと対向すると共に第１永久磁石１３Ｍと吸着可能な第２永久磁石２３Ｍが埋設される。
【００３４】
更に、第２カバー部２１の外周面２６の先端縁２１ｂの近傍に、第１カバー部１１に設けた第１面ファスナ１６Ｆに対して着脱可能な第２面ファスナ２６Ｆを備えた可撓性を有する帯状体２７の基端部が結合される。
【００３５】
これらヒンジ２９を介在して開閉自在に連結された第１カバー部１１の第１当接面１３と第２カバー部２１の第２当接面２３とが当接した状態において、図３及び図５に示すように第１カバー部１１の第１収容面１２と第２カバー部２１の第２収容面２２とによって配電線８が挿通可能な収容空間２８が形成される。また、第１カバー部１１の第１ガイド面１４と第２カバー部２１の第２ガイド面２４は各先端縁１１ｂ、２１ｂ側に移行するに従って互いに漸次離反する。
【００３６】
次に、このように構成された絶縁保護カバー１０の被装着部となるピン碍子５及び配電線８に装着する装着手順を図６及び図７を参照して説明する。
【００３７】
絶縁保護カバー１０の装着にあたり、絶縁保護カバー１０の第１カバー部１１に設けられた第１永久磁石１３Ｍと第２カバー部２１に設けられた第２永久磁石１３Ｍとが吸着して第１カバー部１１の第１当接部１３と第２カバー部２１の第２当接部２３が当接した閉じた状態に準備する。
【００３８】
この絶縁保護カバー１０が閉じた状態で、図６に示すように第２カバー部２１の把持部２５を絶縁作業工具、例えば絶縁ヤットコ１００によって把持し、絶縁ヤットコ１００の操作によって、絶縁保護カバー１０を配電線８の上方においてピン碍子収容部１５の開口部１５Ａをピン碍子５に対向させると共に、第１カバー部１１の第１ガイド面１４及び第２カバー部２１の第２ガイド面２４を配電線８に対向させる。
【００３９】
このように絶縁保護カバー１０が、ピン碍子収容部１５の開口部１５Ａがピン碍子５に上方から対向し、第１カバー部１１の第１ガイド面１４及び第２カバー部２１の第２ガイド面２４を上方から配電線８に対向した状態、即ち図７(ａ)に模擬的に示す状態から、絶縁ヤットコ１００により、絶縁保護カバー１０を下方に移動して図７（ｂ）に示すように第１カバー部１１の第１ガイド面１４及び第２カバー部２１の第２ガイド面２４を配電線８に当接させる。
【００４０】
この第１カバー部１１の第１ガイド面１４及び第２カバー部２１の第２ガイド面２４が配電線８に当接した状態で、更に絶縁ヤットコ１００により絶縁保護カバー１０を下方に、即ち配電線８の方向に移動すると、配電線８に沿って第１カバー部１１の第１ガイド面１４及び第２カバー部２１の第２ガイド面２４がそれぞれ摺動して第１カバー部１１と第２カバー部２１がヒンジ２９を中心に次第に押し拡げられ、第１ガイド面１４及び第２ガイド面２４に続いて図７（ｃ）に示すように第１カバー部１１の第１当接面１３及び第２カバー部２１の第２当接面２３が配電線８に両側から当接すると共にピン碍子収容部１５の開口部１５Ａがピン碍子５のキャップ部１６ａに達する。
【００４１】
更に、絶縁保護カバー１０を下方に移動すると、配電線８に沿って第１当接面１３と第２当接面２３が配電線８の両側を摺動して端縁１２ａ、２２ａが通過する。これにより、配電線８が図７（ｄ）に示すように第１収容面１２と第２収容面２２との間の収容空間２８に収容され、ピン碍子５の碍子本体７の上部がピン碍子収容部１５内に収容される。一方、配電線８を通過した第１カバー部１１の第１当接面１３、第２カバー部２１の第２当接面２３が互いの第１永久磁石１３Ｍと第２永久磁石２３Ｍが吸着によって当接し、第１カバー部１１と第２カバー部２１が閉じた状態に仮固定される。
【００４２】
この仮固定された状態において、ピン碍子５における碍子本体６のキャップ部６ａ及びスカート部６ｂの上部範囲が第１カバー部１１のピン碍子収容部１５によって被覆され、配電線８の所定範囲が第２カバー部２１によって被覆され、配電線８が第１カバー部１１の第１収容面１２及び第２カバー部２１の第２収容面２３によって形成された収容空間２８内を貫通して第１カバー部１１及び第２カバー部２１によって被覆される。
【００４３】
この第１永久磁石１３Ｍと第２永久磁石２３Ｍの吸着によって第１カバー部１１と第２カバー部２１が仮固定された状態で、図７（ｅ）及び図７（ｆ）に示すように第２カバー部２１に基端部が結合された帯状体２７の先端部に設けられた第２面ファスナ２６Ｆを第１カバー部１１の外周面１６に設けられた第１面ファスナ１６Ｆに接合する。これにより、基端部が第２カバー部２１に固定された帯状体２６の先端部が互いに接合する第１面ファスナ１６Ｆと第２面ファスナ２６Ｆによって第１カバー部１１に連結されて第１カバー部１１と第２カバー部２１が強固に連結される。
【００４４】
これにより、図３乃至図５に示すように、ピン碍子５の碍子本体６が第１カバー部１１のピン碍子収容部１５によって被覆され、配電線８の所定範囲が第１カバー部１１及び第２カバー部２１によって絶縁被覆され、活線状態で配電線工事等をする際、良好に地絡・短絡を防止して安全化を図ることができる。更に、ピン碍子５の碍子本体６にピン碍子収容部１５が嵌合して配電線工事中に絶縁保護カバー１０が絶縁被覆部からずれることが防止できる。
【００４５】
一方、絶縁保護カバー１０を取り外す作業は、装着手順とは逆に、絶縁ヤットコ１００等によって、第１面ファスナ１６Ｆから第２面ファスナ２６Ｆを剥離して第１カバー部１１と第２カバー部２１との帯状体２６及び第１面ファスナ１６Ｆ、第２面ファスナ２６Ｆによる連結を解除する。
【００４６】
そして、第２カバー部２１の把持部２５を絶縁ヤットコ１００によって把持し、ヤットコ１００により絶縁保護カバー１０を上方に持ち上げることで、配電線８が第１カバー部１１の第１収容面１２の端縁１２ａ及び第２カバー部２１の第２収容面２２の端縁２２ａが当接し、更に絶縁保護カバー１０の第２カバー部２１を持ち上げると、配電線８によって第１カバー部１１及び第２カバー部２１が第１永久磁石１３Ｍと第２永久磁石２３Ｍとによる吸着に抗して押し広げられ配電線８から抜き出され、かつ碍子本体６からピン碍子収容部１５が離脱して絶縁カバー１０がピン碍子５及び配電線６から取り外される。
【００４７】
従って、本実施の形態による絶縁保護カバー１０によると、絶縁ヤットコ１００等の操作により第２カバー部２１の把持部２５を把持して、絶縁保護カバー１０の第１カバー部１１の第１ガイド面１４及び第２カバー部２１の第２ガイド面２４を配電線８に当接すると共に、ピン碍子収容部１５をピン碍子５に上方から対向し、絶縁保護カバー１０を下方に移動することで、配電線８に沿って第１カバー部１１と第２カバー部２１がヒンジ２９を中心に次第に押し拡げられ、配電線８が収容空間２８に収容されてピン碍子５の碍子本体７の上部がピン碍子収容部１５内に収容され、第１カバー部１１の第１当接面１３と第２カバー部２１の第２当接面２３が互いの第１永久磁石１３Ｍと第２永久磁石２３Ｍが吸着によって仮固定される。この仮固定された状態で帯状体２６の先端部の第２面ファスナ２６Ｆを第１カバー部１１の第１面ファスナ１６Ｆに接合する簡単な作業により絶縁保護カバー１０を強固に所定位置に取り付けることができ、作業者の作業負担が軽減される。
【００４８】
また、第１面ファスナ１６Ｆから第２面ファスナ２６Ｆを剥離し、ヤットコ１００により絶縁保護カバー１０を上方に持ち上げる簡単な作業により、配電線８によって第１カバー部１１及び第２カバー部２１が第１永久磁石１３Ｍと第２永久磁石１３Ｍの吸着に抗して押し広げられ配電線８から抜き出し、かつ碍子本体６からピン碍子収容部１５が離脱して絶縁カバー１０がピン碍子５及び配電線６から取り外すことができる。
【００４９】
（第２実施の形態）
本発明の間接活線工事用絶縁保護カバーの第２実施の形態を図８乃至図１４を参照して説明する。
【００５０】
図８は、本実施の形態における絶縁保護カバーによる絶縁被覆する配電線関連機器を説明する図であり、電柱上の腕金１に図示しないピン碍子に固定された配電線８をクランプ３２によってクランプ保持し、このクランク３２を腕金１とクランプ３２との間に架設された高圧耐張碍子３１によって張設して配電線８を保持する。クランプ３２によって保持された配電線８にはクランプ３２から離間した部分が筒状のカバー３４によって被覆される。
【００５１】
活線工事にあたり、高圧耐張碍子３１、クランプ３２、クランプ３２とカバー３４との間に露出する配電線８の範囲３３、カバー３４をそれぞれ後述する樹脂製の絶縁保護カバー４０、６０、７０、８０によって絶縁被覆する。
【００５２】
以下、絶縁保護カバー４０、６０、７０、８０を順に説明する。
【００５３】
図９は、高圧耐張碍子３１に絶縁保護カバー４０を装着した状態を示す斜視図であり、図１０は絶縁保護カバー４０の展開状態を示す図である。
【００５４】
絶縁保護カバー４０は、高圧耐張碍子３１の被覆範囲に応じた幅寸法を有して各基端縁４１ａ及び５１ａがヒンジ５９を介して開閉自在に連結されて対向する略断面円弧状の第１カバー部４１と第２カバー部５１によって構成される。
【００５５】
第１カバー部４１は、ヒンジ５９に連結する基端縁４１ａと先端縁４１ｂを備え、第２カバー部５１と対向する内周面に基端縁４１ａの延在方向に沿って全幅に亘る断面凹状乃至溝状の第１収容面４２を有し、第１収容面４２の端縁４２ａに沿って折曲して平坦な帯状の第１当接面４３が形成される。更に、第１当接面４３の端縁４３ａから外方に折曲して連続する第１ガイド面４４が形成される。
【００５６】
また、第１当接面４３に第１永久磁石４３Ｍが埋設され、外周面４６の先端縁４１ｂの近傍に第１面ファスナ４６Ｆが貼設される。この第１カバー部４１にはその外周面４６にリブ状に突出する把持部４５が一体形成される。
【００５７】
一方、第２カバー部５１は、ヒンジ５９に連結される基端縁５１ａと略平行な先端縁５１ｂを備え、第１カバー部４１と対向する内周面に基端縁５１ａの延在方向全幅に亘り第１カバー部４１の第１収容面４２と対向する凹状乃至溝状の第２収容面５２を有し、第２収容面５２の端縁５２ａに沿って折曲して第１カバー部４１の第１当接面４３と当接可能に対向する平坦帯状の第２当接面５３が形成される。この第２当接面５３の端縁５３ａから外方に折曲して連続する第２ガイド面５４が形成される。この第２カバー部５１にはその外周面５６にリブ状に突出する把持部５５が一体形成される。
【００５８】
また、当接面５３に第１カバー部４１の第１当接面４３に埋設した第１永久磁石４３Ｍと対向して吸着可能な第２永久磁石５３Ｍが埋設される。更に、第２カバー部５１の外周面５６の先端縁５１ｂ近傍に、第１カバー部４１に設けた第１面ファスナ４６Ｆに対して着脱可能な第２面ファスナ５６Ｆを備えた可撓性を有する帯状体５７の基端部が結合される。
【００５９】
これらヒンジ５９を介在して開閉自在に連結された第１カバー部４１の第１当接面４３と第２カバー部５１の第２当接面５３とが当接した状態において、図９に示すように第１カバー部４１の第１収容面４２と第２カバー部５１の第２収容面５２とによって高圧耐張碍子３１が挿通可能な収容空間５８が形成される。また、第１カバー部４１の第１ガイド面４４と第２カバー部５１の第２ガイド面５４はそれぞれ各先端縁４１ｂ、５１ｂに移行するに従って互いに漸次離反する。
【００６０】
次に、このように構成された絶縁保護カバー４０の被装着部となる高圧耐張碍子３１に装着する装着手順を図１１に基づいて説明する。
【００６１】
絶縁保護カバー４０の装着にあたり、絶縁保護カバー４０の第１カバー部４１に設けられた第１永久磁石４３Ｍと第２カバー部５１に設けられた第２永久磁石５３Ｍとが吸着して第１カバー部４１の第１当接部４３と第２カバー部５１の第２当接部５３が当接保持する閉じた状態に準備する。
【００６２】
この絶縁保護カバー４０が閉じた状態で、把持部４５或いは５５を絶縁作業工具、例えば絶縁ヤットコ１００によって把持し、絶縁保護カバー４０を高圧耐張碍子３１の上方において先端縁４１ｂ、５１ｂ側を下方にして第１カバー部４１の第１ガイド面４４及び第２カバー部５１の第２ガイド面５４を高圧耐張碍子３１に対向させる。
【００６３】
そして、絶縁ヤットコ１００により絶縁保護カバー４０を下方に移動して図１１（ａ）に示すように第１カバー部４１の第１ガイド面４４及び第２カバー部５１の第２ガイド面５４を高圧耐張碍子３１に当接させる。
【００６４】
この第１カバー部４１の第１ガイド面４４及び第２カバー部５１の第２ガイド面５４が高圧耐張碍子３１に当接した状態で、更に絶縁ヤットコ１００により絶縁保護カバー５０を下方、即ち高圧耐張碍子３１側に移動すると、高圧耐張碍子３１に沿って第１カバー部４１の第１ガイド面４４及び第２カバー部５１の第２ガイド面５４及び第１当接面４３、第２当接面５３が摺接して図１１（ｂ）に示すように第１カバー部４１と第２カバー部５１がヒンジ５９を中心に次第に押し拡げられる。
【００６５】
更に絶縁保護カバー４０を下方に移動すると、高圧耐張碍子３１に沿って各第１当接面４３、第２当接面５３が高圧耐張碍子３１の両側を摺動して端縁４２ａ、５２ａが通過する。これにより、高圧耐張碍子３１が図１１（ｃ）に示すように第１収容面４２と第２収容面５２との間の収容空間５８に収容される。一方、高圧耐張碍子３１を通過した第１カバー部４１の第１当接面４３、第２カバー部５１の第２当接面５４が互いの第１永久磁石４３Ｍと第２永久磁石５３Ｍの吸着によって当接し、第１カバー部４１と第２カバー部５１が閉じた状態に仮固定される。
【００６６】
この仮固定された状態において、高圧耐張碍子３１が第１カバー部５１の第１収容面４２及び第２カバー部５１の第２収容面５２によって形成された収容空間５８内を貫通して第１カバー部４１及び第２カバー部５１によって被覆される。
【００６７】
この第１永久磁石４３Ｍと第２永久５３Ｍの吸着によって第１カバー部４１と第２カバー部５１が仮固定された状態で、図１１（ｄ）に示すように第２カバー部５１に基端部が結合された帯状体５７の先端部に設けられた第２面ファスナ５６Ｆを第１カバー部５１の外周面４６に設けられた第１面ファスナ４６Ｆに接合する。これにより、基端部が第２カバー部５１に固定された帯状体５７の先端部が互いに接合する第２面ファスナ５６Ｆと第１面ファスナ４６Ｆによって第１カバー部４１に連結されて第１カバー部４１と第２カバー部５１が強固に連結される。
【００６８】
これにより、図９に示すように、高圧耐張碍子３１が第１カバー部４１及び第２カバー部５１によって絶縁被覆され、活線状態で配電線工事等をする際、良好に地絡・短絡を防止して安全化を図ることができる。
【００６９】
一方、絶縁保護カバー４０を取り外す作業は、装着手順とは逆に、絶縁ヤットコ１００等によって、第１面ファスナ４６Ｆから第２面ファスナ５６Ｆを剥離して第１カバー部４１と第２カバー部５１との帯状体５７及び第１面ファスナ４６Ｆ、第２面ファスナ５６Ｆによる連結を解除する。
【００７０】
そして、把持部４５或いは把持部５５を絶縁ヤットコ１００によって把持し、ヤットコ１００により絶縁保護カバー１０を上方に持ち上げることで、高圧耐張碍子３１が第１カバー部４１の第１収容面４２の端縁４２ａ及び第２カバー部５１の第２収容面５２の端縁５２ａが当接し、更に絶縁保護カバー４０を持ち上げると、高圧耐張碍子３１によって第１カバー部４１及び第２カバー部２５１が第１永久磁石４３Ｍと第２永久磁石５３Ｍとによる吸着に抗して押し広げられ高圧耐張碍子３１から抜き出され、高圧耐張碍子３１から取り外される。
【００７１】
従って、絶縁保護カバー４０によると、絶縁ヤットコ１００等の操作により把持部４５或いは把持部５５を把持して、絶縁保護カバー４０の第１カバー部４１の第１ガイド面４４及び第２カバー部５１の第２ガイド面５４を高圧耐張碍子３１当接して絶縁保護カバー４０を下方に移動することで、高圧耐張碍子３１に沿って第１カバー部４１と第２カバー部５１がヒンジ５９を中心に次第に押し拡げられ、高圧耐張碍子３１が収容空間５８に収容されて第１カバー部４１の第１当接面４３と第２カバー部５１の第２当接面５３が互いの第１永久磁石４３Ｍと第２永久磁石５３Ｍが吸着によって仮固定される。この仮固定された状態で帯状体５７の先端部の第２面ファスナ５６Ｆを第１カバー部４１の第１面ファスナ４６Ｆに接合する簡単な作業により絶縁保護カバー５０を強固に所定位置に取り付けることができる。
【００７２】
また、第１面ファスナ４６Ｆから第２面ファスナ５６Ｆを剥離し、ヤットコ１００により絶縁保護カバー４０を上方に持ち上げる簡単な作業により、高圧耐張碍子３１によって第１カバー部４１及び第２カバー部５１が第１永久磁石４３Ｍと第２永久磁石５３Ｍの吸着に抗して押し広げられ高圧耐張碍子３１から抜き出し、絶縁カバー４０を高圧耐張碍子３１から取り外すことができる。
【００７３】
図１２は、クランプ３２に絶縁保護カバー６０を装着した状態を示す斜視図である。なお、この絶縁保護カバー６０は、絶縁保護カバー４０と基本構成が同一であり、簡単に説明する。
【００７４】
絶縁保護カバー６０は、クランプ３２の被覆範囲に応じた幅寸法を有して各基端縁がヒンジ６９を介して開閉自在に連結されて対向する第１カバー部６１と第２カバー部６５によって構成される。
【００７５】
第１カバー部６１及び第２カバー部６５は、それぞれ内周面に対向する断面凹状乃至溝状の第１収容面６２、第２収容面６６を有し、第１収容面６２、第２収容面６６の端縁に沿って互いに対向する帯状の第１当接面６３、第２当接面６７が形成される。更に、第１当接面６３、第２当接面６７の端縁から外方に折曲して連続する第１ガイド面６４、第２ガイド面６８が形成される。
【００７６】
また、図示を省略するが、各第１当接面６３及び第２当接面６７にそれぞれ互いに吸着する第１永久磁石、第２永久磁石が埋設され、第１カバー部６１の外周面における先端縁の近傍に第１面ファスナが貼設される。一方、第２カバー部６５に第１カバー部６１に設けた第１面ファスナに対して着脱可能な第２面ファスナを備えた帯状体の基端部が結合される。なお、これら第１永久磁石、第２永久磁石及び第１面ファスナ、第２面ファスナは上記絶縁カバー４０の第１永久磁石４３Ｍ、第２永久磁石５３Ｍ及び第１面ファスナ４６Ｆ、第２面ファスナ５６Ｆと同一構成である説明を省略する。
【００７７】
この絶縁保護カバー６０のクランプ３２への装着は、絶縁保護カバー６０を閉じた状態で、第１カバー部６１の第１ガイド面６４及び第２カバー部６５の第２ガイド面６８をクランプ３２に対向させ、かつ下方に移動して第１カバー部６１の第１ガイド面５４及び第２カバー部６５の第２ガイド面６８をクランプ３２に当接させる。そして、絶縁保護カバー６０をクランプ３２側となる下方に移動すると、クランプ３２に沿って第１カバー部６１の第１ガイド面６４及び第２カバー部６５の第２ガイド面６８及び第１当接面６３、第２当接面６７が摺接して第１カバー部６１と第２カバー部６５がヒンジ６９を中心に次第に押し拡げられる。
【００７８】
更に、絶縁保護カバー６０を下方に移動すると、クランプ３２に沿って各第１当接面６３、第２当接面６７が通過する。これにより、クランプ３２が第１収容面２と第２収容面６６との間の収容空間内に収容される。一方、クランプ３２を通過した第１カバー部５１の第１当接面５３と、第２カバー部６５の第２当接面６７と互いの第１永久磁石、第２永久磁石が吸着によって当接し、第１カバー部６１と第２カバー部６５が閉じた状態に仮固定される。
【００７９】
この仮固定された状態において、クランプ３２が第１カバー部６１の第１収容面６２及び第２カバー部６５の第２収容面６６によって形成された収容空間内を貫通して第１カバー部６１及び第２カバー部６５によって被覆される。
【００８０】
この第１永久磁石、第２永久磁石の吸着によって第１カバー部６１と第２カバー部６５が仮固定された状態で、第２カバー部６５に基端部が結合された帯状体の先端部に設けられた第２面ファスナを第１カバー部６１に設けられた第１面ファスナに接合する。これにより、互いに接合する第１面ファスナ、第２面ファスナによって第１カバー部６１に連結されて第１カバー部４１と第２カバー部６５が強固に連結される。
【００８１】
また、互いの第１面ファスナと第２面ファスナを剥離し、絶縁保護カバー６０を上方に持ち上げる簡単な作業により、クランプ３２によって第１カバー部６１及び第２カバー部６５が第１永久磁石、第２永久磁石の吸着に抗して押し広げられクランプ３２から抜き出し、絶縁カバー６０をクランプ３２から取り外すことができる。
【００８２】
図１３は、クランプ３２とカバー３４との間に露出する配電線８の部分３３に絶縁保護カバー７０を装着した状態を示す斜視図である。なお、この絶縁保護カバー７０は、絶縁保護カバー４０と基本構成が同一であり、概要を簡単に説明する。
【００８３】
絶縁保護カバー７０は、配電線８の被覆範囲、即ちクランプ３２と筒状のカバー３４の離間寸法に応じた幅寸法を有して各基端縁がヒンジ７９を介して開閉自在に連結されて対向する略断面円弧状の第１カバー部７１と第２カバー部７５によって構成される。
【００８４】
第１カバー部７１及び第２カバー部７５は、それぞれ内周面に対向する断面凹状乃至溝状の第１収容面７２、第２収容面７６を有し、第１収容面７２、第２収容面７６の端縁に沿って互いに対向する帯状の第１当接面７３、第２当接面７７が形成される。更に、第１当接面７３、第２当接面７７の端縁から外方に折曲して連続する第１ガイド面７４、第２ガイド面７８が形成される。
【００８５】
また、図示を省略するが各第１当接面７３及び第２当接面７７に互いに吸着する第１永久磁石、第２永久磁石が埋設され、第１カバー７１の外周面における先端縁の近傍に第１面ファスナが貼設される。一方、第２カバー部７５に第１カバー部７１に設けた第１面ファスナに対して着脱可能な第２面ファスナを備えた帯状体の基端部が結合される。なお、これら第１永久磁石、第２永久磁石及び第１面ファスナ、第２面ファスナは上記絶縁カバー４０の第１永久磁石４３Ｍ、第２永久磁石５３Ｍ及び第１面ファスナ４６Ｆ、第２面ファスナ５６Ｆと同一構成である説明を省略する。
【００８６】
この絶縁保護カバー７０の配電線８への装着は、互いの第１永久磁石、第２永久磁石が吸着した絶縁保護カバー７０を閉じた状態で、第１カバー部７１の第１ガイド面７４及び第２カバー部７５の第２ガイド面７８を配電線８に対向させ、かつ下方に移動して第１カバー部７１の第１ガイド面７４及び第２カバー部７５の第２ガイド面７８を配電線８に当接させる。そして、絶縁保護カバー７０を下方の配電線８側に移動すると、配電線８に沿って第１カバー部７１の第１ガイド面７４及び第２カバー部７５の第２ガイド面７８及び第１当接面７３、第２当接面７７が摺接して第１カバー部７１と第２カバー部７５がヒンジ７９を中心に次第に押し拡げられる。
【００８７】
更に絶縁保護カバー７０を下方に移動すると、配電線８に沿って各第１当接面７３、第２当接面７７が通過する。これにより、クランプ３２とカバー３４との間において配電線８が第１収容面７２と第２収容面７６との間に収容される。一方、配電線８を通過した第１カバー部７１の第１当接面７３と、第２カバー部７５の第２当接面７７の互いの第１永久磁石と第２永久磁石が吸着によって当接し、第１カバー部７１と第２カバー部７５が閉じた状態に仮固定される。
【００８８】
この仮固定された状態において、配電線８が第１カバー部７１の第１収容面７２及び第２カバー部７５の第２収容面７６によって形成された収容空間内を貫通して第１カバー部７１及び第２カバー部７５によって被覆される。
【００８９】
この第１永久磁石、第２永久磁石の吸着によって第１カバー部７１と第２カバー部７５が仮固定された状態で、第２カバー部７５に基端部が結合された帯状体の先端部に設けられた第２面ファスナを第１カバー部７１に設けられた第１面ファスナに接合する。これにより、互いに接合する第１面ファスナと第２面ファスナによって第１カバー部７１に連結されて第１カバー部７１と第２カバー部７５が強固に連結される。
【００９０】
また、互いの第１面ファスナ、第２面ファスナを剥離し、絶縁保護カバー７０を上方に持ち上げる簡単な作業により、配電線８によって第１カバー部７１及び第２カバー部７５が第１永久磁石、第２永久磁石の吸着に抗して押し広げられ配電線８から抜き出し、絶縁カバー７０を配電線８から取り外すことができる。
【００９１】
図１４は、配電線８を被覆する筒状のカバー３４に絶縁保護カバー８０を装着した状態を示す斜視図である。なお、この絶縁保護カバー８０は、絶縁保護カバー４０と基本構成が同一であり、概要を簡単に説明する。
【００９２】
絶縁保護カバー８０は、カバー３４の被覆範囲に応じた幅寸法を有して各基端縁がヒンジ８９を介して開閉自在に連結されて対向する略断面円弧状の第１カバー部８１と第２カバー部８５によって構成される。
【００９３】
第１カバー部８１及び第２カバー部８５は、それぞれ内周面に対向する断面凹状乃至溝状の第１収容面８２、第２収容面８６を有し、第１収容面８２、第２収容面８６の端縁に沿って互いに対向する帯状の第１当接面８３、第２当接面８７が形成される。更に、第１当接面８３、第２当接面８７の端縁から外方に折曲して連続する第１ガイド面８４、第２ガイド面８８が形成される。
【００９４】
また、図示を省略するが各第１当接面８３及び第２当接面８７に互いに吸着する第１永久磁石、第２永久磁石が埋設され、第１カバー８１の外周面における先端縁の近傍に第１面ファスナが貼設される。一方、第２カバー部８５に第１カバー部８１に設けた第１面ファスナに対して着脱可能な第２面ファスナを備えた帯状体の基端部が結合される。なお、これら第１永久磁石、第２永久磁石及び第１面ファスナ、第２面ファスナは上記絶縁カバー４０の第１永久磁石４３Ｍ、第２永久磁石５３Ｍ及び第１面ファスナ４６Ｆ、第２面ファスナ５６Ｆと同一構成であり説明を省略する。
【００９５】
この絶縁保護カバー８０のカバー３４への装着は、互いの第１永久磁石と第２永久磁石が吸着した絶縁保護カバー８０を閉じた状態で、第１カバー部８１の第１ガイド面８４及び第２カバー部８５の第２ガイド面８８をカバー３４に対向させ、かつカバー３４側に移動して第１カバー部８１の第１ガイド面８４及び第２カバー部８５の第２ガイド面８８をカバー３４に当接させる。そして、絶縁保護カバー８０を下方に移動すると、カバー３４に沿って第１カバー部８１の第１ガイド面８４及び第２カバー部８５の第２ガイド面８８及び第１当接面８３、第２当接面８７が摺接して第１カバー部８１と第２カバー部８５がヒンジ８９を中心に次第に押し拡げられる。
【００９６】
更に、絶縁保護カバー８０を下方に移動すると、カバー３４に沿って各第１当接面８３、第２当接面８７が通過する。これにより、カバー３４が第１収容面８２と第２収容面８６との間に収容される。一方、カバー３４を通過した第１カバー部８１の第１当接面８３と、第２カバー部８５の第２当接面８７の互いの第１永久磁石、第２永久磁石が吸着によって当接し、第１カバー部８１と第２カバー部８５が閉じた状態に仮固定される。
【００９７】
この仮固定された状態において、カバー３４が第１カバー部８１の第１収容面８２及び第２カバー部８５の第２収容面８６によって形成された収容空間内を貫通して第１カバー部８１及び第２カバー部８５によって被覆される。
【００９８】
この永久磁石の吸着によって第１カバー部８１と第２カバー部８５が仮固定された状態で、第２カバー部８５に基端部が結合された帯状体の先端部に設けられた第２面ファスナを第１カバー部８１に設けられた第１面ファスナに接合する。これにより、互いに接合する第１面ファスナ、第２面ファスナによって第１カバー部８１と第２カバー部８５が強固に連結される。
【００９９】
また、互いの第１面ファスナと第２面ファスナを剥離し、絶縁保護カバー８０を上方に持ち上げる簡単な作業により、カバー３４によって第１カバー部８１及び第２カバー部８５が第１永久磁石、第２永久磁石の吸着に抗して押し広げられカバー３４から抜き出し、絶縁カバー８０をカバー３４から取り外すことができる。
【符号の説明】
【０１００】
１            腕金
５            ピン碍子
８            配電線
１０          絶縁保護カバー
１１、２１    第１カバー部、第２カバー部
１２、２２    第１収容面、第２収容面
１３、２３    第１当接面、第２当節面
１４、２４    第１ガイド面、第２ガイド面
１３Ｍ、２３Ｍ    第１永久磁石、第２永久磁石
１６Ｆ、２６Ｆ    第１面ファスナ、第２面ファスナ
２８          収容空間
２９          ヒンジ
３１          高圧耐張碍子
３２          クランプ
３４          カバー
４０          絶縁保護カバー
４１、５１    第１カバー部、第２カバー部
４２、５２    第１収容面、第２収容面
４３、５３    第１当接面、第２当接面
４４、５４    第１ガイド面、第２ガイド面
４３Ｍ、５３Ｍ    第１永久磁石、第２永久磁石
４６Ｆ、５６Ｆ    第１面ファスナ、第２ファスナ
５８          収容空間
５９          ヒンジ
６０          絶縁保護カバー
６１、６５    第１カバー部、第２カバー部
６２、６６    第１収容面、第２収容面
６３、６７    第１当接面、第２当接面
６４、６８    第１ガイド面、第２ガイド面
６９          ヒンジ
７０          絶縁保護カバー
７１、７５    第１カバー部、第２カバー部
７２、７６    第１収容面、第２収容面
７３、７７    第１当接面、第２当接面
７４、７８    第１ガイド面、第２ガイド面
８０          絶縁保護カバー
８１、８５    第１カバー部、第２カバー部
８２、８６    第１収容面、第２収容面
８３、８７    第１当接面、第２当接面
８４、８８    第１ガイド面、第２ガイド面
１００        絶縁ヤットコ（絶縁作業工具）
【図１】
0005714275.tif 000002
【図２】
0005714275.tif 000003
【図３】
0005714275.tif 000004
【図４】
0005714275.tif 000005
【図５】
0005714275.tif 000006
【図６】
0005714275.tif 000007
【図７】
0005714275.tif 000008
【図８】
0005714275.tif 000009
【図９】
0005714275.tif 000010
【図１０】
0005714275.tif 000011
【図１１】
0005714275.tif 000012
【図１２】
0005714275.tif 000013
【図１３】
0005714275.tif 000014
【図１４】
0005714275.tif 000015